(57)【要約】【課題】高品質の再生信号を得ることができるともに装置の小型化、薄型化が可能なホログラム再生装置およびホログラム再生方法を提供する。【解決手段】Ｐ偏光の入射光Ｌ１をホログラム記録媒体６に入射し、このときの透過光Ｌ２を反転させて再生参照光Ｌ３を生成する。再生参照光Ｌ３の偏光は、１／４波長板１０によってＳ偏光に変換されるので、ホログラム９から生じる再生信号光Ｌ４もＳ偏光になる。偏光板１５は、入射光Ｌ１がホログラム記録媒体６によって反射されたＰ偏光の反射光とＳ偏光の再生信号光Ｌ４とを分離する。この結果、再生信号のＳＮ比を向上させることができる。さらに、偏光板１５は、撮像素子１６の受光面１６ａの直前に配置可能であるので、ホログラム再生装置１００を小型かつ薄型にできる。【選択図】図１
2009282141.tif 000002
【特許請求の範囲】
【請求項１】
第１、第２の面を有する板状の記録媒体に記録された透過型のホログラムを再生するホログラム再生装置であって、
コヒーレントな直線偏光の光を生成して前記第１の面から前記記録媒体に入射光として入射させる入射光生成部と、
前記入射光が前記記録媒体を透過した透過光を用いて、前記第２の面から前記記録媒体に入射し、前記透過光の偏光の方向と９０°異なる直線偏光の再生参照光を生成する再生参照光光学系と、
前記ホログラムによって前記再生参照光が回折されることによって前記第１の面から出射した再生信号光を受光する受光部と、
前記第１の面と前記受光部との間の前記再生信号光の光路上に設けられ、前記再生信号光の偏光方向の光を選択的に透過する偏光板とを備える、ホログラム再生装置。
【請求項２】
前記偏光板は、前記再生信号光を受光する前記受光部の受光面に密着して設けられる、請求項１に記載のホログラム再生装置。
【請求項３】
前記再生参照光光学系は、
前記透過光を円偏光の光に変換する１／４波長板と、
前記円偏光の光を反射する反射部とを含み、
前記１／４波長板は、さらに、反射された前記円偏光の光を前記再生参照光に変換する、請求項１または２に記載のホログラム再生装置。
【請求項４】
前記入射光はＰ偏光である、請求項３に記載のホログラム再生装置。
【請求項５】
前記ホログラム再生装置は、制御部をさらに備え、
前記制御部は、角度多重方式によって前記記録媒体に記録された複数のホログラムの各々に応じて、前記入射光の前記第１の面への入射角度を変更するように前記入射光生成部を制御し、
前記入射光の入射角度の変更範囲は、ブリュースタ角を含み、
前記制御部は、さらに、前記再生参照光が前記透過光の進行方向と１８０°逆方向に進むように前記反射部の反射方向を制御する、請求項４に記載のホログラム再生装置。
【請求項６】
前記入射光の前記第１の面への入射角度は、ブリュースタ角に固定され、
前記ホログラム再生装置は、角度多重方式によって前記記録媒体に記録された複数のホログラムの各々に応じて、前記再生参照光の前記第２の面への入射角度を変更するように前記反射部の反射方向を制御する制御部をさらに備える、請求項４に記載のホログラム再生装置。
【請求項７】
第１、第２の面を有する板状の記録媒体に記録された透過型のホログラムを再生するホログラム再生方法であって、
コヒーレントな直線偏光の光を生成して前記第１の面から前記記録媒体に入射光として入射させるステップと、
前記入射光が前記記録媒体を透過した透過光を用いて、前記第２の面から前記記録媒体に入射し、前記透過光の偏光の方向と９０°異なる直線偏光の再生参照光を生成するステップと、
前記ホログラムによって前記再生参照光が回折されることによって前記第１の面から出射した再生信号光を、偏光板を用いて選択的に透過させるステップと、
前記偏光板を透過した前記再生信号光を受光するステップとを備える、ホログラム再生方法。
【請求項８】
前記入射光として入射させるステップは、
レーザ光を発生するステップと、
発生した前記レーザ光を、前記入射光の入射面に対してＰ偏光に変換するステップと、
前記記録媒体に多重記録された複数のホログラムの各々に応じた入射角度で、Ｐ偏光に変換された前記レーザ光を前記第１の面へ照射するステップとを含み、
前記再生参照光を生成するステップは、
前記透過光を１／４波長板を用いて円偏光の光に変換するステップと、
前記円偏光の光を１８０°逆方向に反射するステップと、
反射された前記円偏光の光を前記１／４波長板を用いて前記再生参照光に変換するステップとを含む、請求項７に記載のホログラム再生方法。
【請求項９】
前記入射光として入射させるステップは、
レーザ光を発生するステップと、
発生した前記レーザ光を、前記入射光の入射面に対してＰ偏光に変換するステップと、
Ｐ偏光に変換された前記レーザ光をブリュースタ角で前記第１の面に照射するステップとを含み、
前記再生参照光を生成するステップは、
前記透過光を１／４波長板を用いて円偏光の光に変換するステップと、
前記記録媒体に多重記録された複数のホログラムの各々に応じた反射角度で、前記円偏光の光を反射するステップと、
反射された前記円偏光の光を前記１／４波長板を用いて前記再生参照光に変換するステップとを含む、請求項７に記載のホログラム再生方法。
【発明の詳細な説明】
【技術分野】
【０００１】
本発明は記録媒体に記録されたホログラムを再生する再生装置および再生方法に関する。
【背景技術】
【０００２】
近年、高密度の光記録が可能なボリュームホログラフィックメモリが注目を浴びている。一般に、ボリュームホログラフィでは、記録する情報で変調された信号光と参照光とをホログラム記録媒体内部で干渉させる。このとき、記録媒体の厚み方向を積極的に利用して３次元的に生成された干渉縞をホログラムとして記録する。３次元的に記録された厚いホログラムは、高い回折効率を有する。また、角度多重記録方式を用いることによって記録密度を増大させることが可能である。
【０００３】
図１０は、従来のホログラム記録再生装置２００の構成を示す概略図である。ホログラム記録再生装置２００は、球面波の信号光と平面波の参照光とをホログラム記録媒体中で干渉させることによってホログラムを記録するとともに、記録したホログラムを再生する。同様の構成のホログラム記録再生装置は、たとえば、特開２００６−３１７８８６号公報（特許文献１）に開示されている。なお、図１０で、図面の左右方向がＸ方向であり、図面の上下方向がＺ方向であり、紙面に垂直な方向がＹ方向である。ホログラム記録媒体２０６は、Ｘ、Ｙ方向に沿って配置される。
【０００４】
図１０を参照して、レーザ光源２０１は、青色や緑色などの単一な波長のレーザ光を出射するレーザ装置である。レーザ光源２０１で発生したレーザビームは、ビームエキスパンダ２０３によって径が拡大され、平行光となって出射される。この平行光は、偏光ビームスプリッタ（ＰＢＳ：Polarization  Beam  Splitter）２２５によってＰ偏光の信号光Ｐ２とＳ偏光の参照光Ｐ１とに分割される。
【０００５】
信号光Ｐ２は、ミラー２２６で反射された後、ビームエキスパンダ２２７で径が拡大される。その後、信号光Ｐ２は、空間光変調器２２８で強度変調されてからＰＢＳ２１５を透過する。そして、信号光Ｐ２は、対物レンズ２１４によって集光されてホログラム記録媒体２０６中に入射する。
【０００６】
一方、参照光Ｐ１は、１／２波長板２０４でＰ偏光に変換された後、ミラー２０５で反射される。その後、参照光Ｐ１は、照射位置調整レンズ２１２（２１２ａ，２１２ｂ）を通過して、平行光の状態で、ホログラム記録媒体２０６に入射する。こうして、参照光Ｐ１は、信号光Ｐ２とホログラム記録媒体２０６内で干渉する。
【０００７】
照射位置調整レンズ２１２ａ，２１２ｂとミラー２０５とホログラム記録媒体２０６とは、いわゆる４ｆ光学系を構成する。このため、ミラー２０５を回転させて反射方向を変化させることによって、参照光Ｐ１のホログラム記録媒体２０６への入射位置を変えずに入射角度を変化させることができる。
【０００８】
このようにしてホログラム記録媒体に入射する参照光の入射角度を変えると、信号光との干渉によって形成される干渉縞の傾きが変化する。この結果、参照光の入射角度に応じて異なるホログラムが形成される。この際、参照光の入射角度を変化させるごとに信号光の情報を変えれば、同一箇所に複数の情報を書き込むことが可能となる。このように、ホログラム記録媒体２０６に入射する参照光の入射角度を変化させることによって、同一箇所にホログラム２０９を多重記録する方法は角度多重記録方式と呼ばれる。
【０００９】
次に、ホログラム記録再生装置２００によって記録されたホログラムを再生する手順を説明する。
【００１０】
再生時には、まず、記録時の参照光と同一の方向から入射光Ｐ１がホログラム記録媒体２０６に入射される。入射光Ｐ１がホログラム記録媒体２０６を透過した透過光Ｐ３は、１／４波長板２１０によって円偏光に変換される。円偏光の光はミラー２１１に入射する。ミラー２１１は、回転動作とＺ方向にシフトする動作とを合わせて行うことによって、円偏光の光を元の方向に１８０°反射する。
【００１１】
反射された円偏光の光は、１／４波長板２１０に再び入射することによって、Ｓ偏光の再生参照光Ｐ４に変換される。Ｓ偏光の再生参照光Ｐ４は、記録時と反対方向からホログラム記録媒体２０６に入射する。入射した再生参照光Ｐ４がホログラム２０９によって回折されることによって、再生信号光Ｐ５が生成される。
【００１２】
生成された再生信号光Ｐ５は、対物レンズ２１４、ＰＢＳ２１５、および撮像素子２１６によって構成される再生光学系に入射する。このとき、Ｓ偏光の再生信号光Ｐ５は、ＰＢＳ２１５によって反射されて撮像素子２１６に導かれる。撮像素子２１６が撮像した画像データをデコードすることにより、ホログラムに記録された情報の再生が完了する。
【００１３】
角度多重記録方式による多重ホログラムを再生するためには、記録時と同様に、ホログラム記録媒体に対する再生参照光Ｐ４の入射角度を変化させる必要がある。図１０の場合、正面側のミラー２０５の偏角を再生すべき目的のホログラムに応じて調整することによって、入射光Ｐ１を記録時の参照光と同じ入射角でホログラム記録媒体２０６に入射させる。このとき、再生参照光Ｐ４は、ホログラム記録媒体２０６の裏面側で透過光Ｐ３を１８０°反転させることによって生成される。このように記録時と反対の方向から再生参照光Ｐ４をホログラム記録媒体２０６に入射する方法を用いることによって、レーザ光源２０１と再生光学系をホログラム記録媒体２０６に対して同じ側に配置することができるので、装置の小型化および薄型化が可能となる。
【特許文献１】特開２００６−３１７８８６号公報
【発明の開示】
【発明が解決しようとする課題】
【００１４】
しかしながら、上記の方法でホログラムを再生する場合には、以下のような問題がある。
【００１５】
図１０の再生参照光Ｐ４は、入射光Ｐ１がホログラム記録媒体２０６を透過した透過光Ｐ３をホログラム記録媒体２０６の裏面側で反転させることで生成される。一般に、ホログラム記録媒体は、記録材料をガラス基板や樹脂基板など（以下、基板と記載する）で挟みこんだ構造をしている。さらに、ホログラム記録媒体全体がカートリッジに内蔵される場合もある。このような構造のホログラム記録媒体に入射光Ｐ１が入射した場合、基板表面で一部の光が反射されて反射光になる。そして、この反射光が撮像素子の受光面に入射するとノイズになる。反射光が対物レンズのアパーチャなどでさらに散乱され、その散乱光が撮像素子に受光面に入射する場合もある。基板表面に反射防止処理を行うことや、ホログラム記録媒体に対する入射角度を制限することで、受光面に入射する反射光および散乱光の強度をある程度低減することは可能であるが十分でない。
【００１６】
特に、記録密度を増大させるために信号光の回折効率を小さくした場合に、ノイズの影響が問題となる。現在、ホログラム記録媒体の多重可能な能力をあらわすＭナンバーは、最大で数十の値が得られている。このＭナンバーは回折効率のルートに比例するので、回折効率が小さいほど多重数を増やすことができる。しかしながら、記録密度を増大させるためにホログラムの回折効率を小さくした場合には、再生された信号光が微弱となるので反射光および散乱光によるノイズの影響が無視できなくなる。
【００１７】
また、再生信号光を撮像素子に結像するための対物レンズは、記録時に信号光を集光するために用いられる対物レンズと同じ特性のものを用いる必要がある。記録密度の向上のためには、記録時にＮＡの高い対物レンズを利用することが考えられる。高いＮＡの対物レンズを用いた場合、一般的に対物レンズの焦点距離が短くなるため、対物レンズとホログラム記録媒体の距離が縮まる。この結果、再生時にはホログラム記録媒体からの反射光や散乱光などの迷光が対物レンズに入射しやすくなるので、再生信号の品質が低下するおそれがある。
【００１８】
また、図１０の従来例のように偏光分離のためにＰＢＳを用いた場合は、再生信号光のビーム径に比例してＰＢＳの大きさも大きくなるため、装置の小型化、薄型化に不利である。また、対物レンズの結像位置に撮像素子を配置する必要があるので、ＰＢＳの大きさが大きくなると対物レンズの設計が困難になる。さらに、ＰＢＳの回転やチルトによってＰＢＳ通過後の再生信号光の光軸にずれが生じる場合がある。特にＳ偏光の再生信号光がＰＢＳ内部の反射面で反射される場合に光軸のずれが問題となる。このためＰＢＳを用いる場合には、撮像素子に対するＰＢＳの面内方向の位置合わせが必要となる。
【００１９】
本発明は上記問題点を鑑みてなされたものである。本発明の目的は、高品質の再生信号を得ることができるともに装置の小型化、薄型化が可能なホログラム再生装置およびホログラム再生方法を提供することである。
【課題を解決するための手段】
【００２０】
本発明は要約すれば、第１、第２の面を有する板状の記録媒体に記録された透過型のホログラムを再生するホログラム再生装置であって、入射光生成部と、再生参照光光学系と、受光部と、偏光板とを備える。入射光生成部は、コヒーレントな直線偏光の光を生成して第１の面から記録媒体に入射光として入射させる。再生参照光光学系は、入射光が記録媒体を透過した透過光を用いて、第２の面から記録媒体に入射し、透過光の偏光の方向と９０°異なる直線偏光の再生参照光を生成する。受光部は、ホログラムによって再生参照光が回折されることによって第１の面から出射した再生信号光を受光する。偏光板は、第１の面と受光部との間の再生信号光の光路上に設けられ、再生信号光の偏光方向の光を選択的に透過する。
【００２１】
好ましくは、偏光板は、再生信号光を受光する受光部の受光面に密着して設けられる。
また、好ましくは、再生参照光光学系は、透過光を円偏光の光に変換する１／４波長板と、円偏光の光を反射する反射部とを含む。１／４波長板は、さらに、反射された円偏光の光を再生参照光に変換する。
【００２２】
また、好ましくは、入射光はＰ偏光である。
さらに好ましくは、ホログラム再生装置は、制御部をさらに備える。制御部は、角度多重方式によって記録媒体に記録された複数のホログラムの各々に応じて、入射光の第１の面への入射角度を変更するように入射光生成部を制御する。ここで、入射光の入射角度の変更範囲は、ブリュースタ角を含む。制御部は、さらに、再生参照光が透過光の進行方向と１８０°逆方向に進むように反射部の反射方向を制御する。
【００２３】
あるいは、さらに好ましくは、入射光の第１の面への入射角度は、ブリュースタ角に固定される。そして、ホログラム再生装置は、角度多重方式によって記録媒体に記録された複数のホログラムの各々に応じて、再生参照光の第２の面への入射角度を変更するように反射部の反射方向を制御する制御部をさらに備える。
【００２４】
本発明の他の局面において、本発明は、第１、第２の面を有する板状の記録媒体に記録された透過型のホログラムを再生するホログラム再生方法である。本発明のホログラム再生方法は、コヒーレントな直線偏光の光を生成して第１の面から記録媒体に入射光として入射させるステップと、入射光が記録媒体を透過した透過光を用いて、第２の面から記録媒体に入射し、透過光の偏光の方向と９０°異なる直線偏光の再生参照光を生成するステップと、ホログラムによって再生参照光が回折されることによって第１の面から出射した再生信号光を、偏光板を用いて選択的に透過させるステップと、偏光板を透過した再生信号光を受光するステップとを備える。
【００２５】
好ましくは、入射光として入射させるステップは、レーザ光を発生するステップと、発生したレーザ光を、入射光の入射面に対してＰ偏光に変換するステップと、記録媒体に多重記録された複数のホログラムの各々に応じた入射角度で、Ｐ偏光に変換されたレーザ光を第１の面へ照射するステップとを含む。そして、再生参照光を生成するステップは、透過光を１／４波長板を用いて円偏光の光に変換するステップと、円偏光の光を１８０°逆方向に反射するステップと、反射された円偏光の光を１／４波長板を用いて再生参照光に変換するステップとを含む。
【００２６】
あるいは、好ましくは、入射光として入射させるステップは、レーザ光を発生するステップと、発生したレーザ光を、入射光の入射面に対してＰ偏光に変換するステップと、Ｐ偏光に変換されたレーザ光をブリュースタ角で第１の面に照射するステップとを含む。そして、再生参照光を生成するステップは、透過光を１／４波長板を用いて円偏光の光に変換するステップと、記録媒体に多重記録された複数のホログラムの各々に応じた反射角度で、円偏光の光を反射するステップと、反射された円偏光の光を１／４波長板を用いて再生参照光に変換するステップとを含む。
【発明の効果】
【００２７】
本発明によれば、入射光を生成する光源と再生信号光を受光する受光部とを記録媒体に対して同じ側に配置できるので、小型化および薄型化が可能なホログラム再生装置および方法を提供することができる。しかも、入射光が記録媒体の表面で反射された反射光と再生信号光とを偏光板によって分離するので、高品質の再生信号を得ることができる。また、再生信号光の分離に用いる偏光板は受光部の受光面の直前に配置可能であるので、再生装置をより小型かつ薄型にすることができる。
【発明を実施するための最良の形態】
【００２８】
以下、本発明の実施の形態について図面を参照して詳しく説明する。なお、同一または相当する部分には同一の参照符号を付して、その説明を繰り返さない。
【００２９】
［実施の形態１］
図１は、本発明の実施の形態１によるホログラム再生装置１００の構成を示す概略図である。図１のホログラム再生装置１００は、角度多重方式によって板状のホログラム記録媒体６に多重記録された透過型のホログラムを再生する。ホログラム再生装置１００は、レーザ光源１と、ビームエキスパンダ３と、偏光子４と、正面側ミラー５と、１／４波長板１０と、裏面側ミラー１１と、対物レンズ１４と、偏光板１５と、撮像素子１６と、アパーチャ１９とを含む。
【００３０】
ホログラム記録媒体６は、正面側基板７ａおよび裏面側基板７ｂ（以下、基板７と総称する。）と、両基板７に挟まれ、干渉縞が形成される記録層８とを含む。すなわち、ホログラム記録媒体６は、正面側基板７ａと裏面側基板７ｂとの間に記録層８を挟んだサンドイッチ構造を有する。基板７の材料として、ポリカーボネート、アクリル等の透光性の合成樹脂またはガラスなどが用いられる。また、記録層８には、たとえば、光の照射によって屈折率が変化するフォトポリマーなどの合成樹脂材料が用いられる。
【００３１】
透過型のホログラムの場合、記録する情報によって変調された信号光と参照光とが板状のホログラム記録媒体６の同じ側から入射される。このとき生じた信号光および参照光の干渉縞がホログラム記録媒体６に記録される。以下の説明では、記録時に信号光と参照光とが入射される側の面をホログラム記録媒体６の正面６ａと称し、その反対側の面をホログラム記録媒体６の裏面６ｂと称する。
【００３２】
透過型のホログラムを再生するとき、記録時の参照光と同方向の正面側から再生参照光を入射した場合には、裏面側に再生信号光が得られる。一方、記録時の参照光と逆方向の裏面側から再生参照光を入射した場合には、正面側に再生信号光が得られる。裏面側から再生参照光を入射した場合には、再生信号光は記録時の信号光と位相共役の関係にある。
【００３３】
以下、説明の便宜のために、ホログラム記録媒体６の表面（正面６ａおよび裏面６ｂ）に沿う方向をＸ方向およびＹ方向と称する。＋Ｘ方向は、図面の左から右に向かう方向であり、＋Ｙ方向は紙面の奥から手前に向かう方向である。また、ホログラム記録媒体６の厚み方向をＺ方向と称する。＋Ｚ方向は図面の上から下に向かう方向である。図１の場合、ホログラム記録媒体６の正面側は−Ｚ方向であり、裏面側は＋Ｚ方向である。
【００３４】
レーザ光源１は、青色や緑色の単一な波長のレーザ光を出射するレーザ装置である。レーザ光源１から出射された光は、ビームエキスパンダ３によって径が拡大され、平行光となって出射される。平行光の強度分布はガウシアン形状となる。このとき、再生するホログラム内の光の強度分布に差がある場合は、再生像に強度ムラを生じさせる原因となる。したがって、ホログラムの大きさに対して均一な強度分布の平行光にすることが好ましい。たとえば、ビーム光の強度分布がガウシアン形状のものをフラットにするアポダイザ（図示省略）をレーザ光の光路に挿入することが有効である。あるいは、ビームエキスパンダ３で十分にビーム径の広がったレーザ光の周辺部分をアパーチャ（図示省略）で取り除くことによって中心付近の光を利用してもよい。
【００３５】
偏光子４は、ビームエキスパンダ３の出力側に設けられ、直線偏光の光をレーザ光から取り出す。実施の形態１では、ホログラム記録媒体６への入射時に入射光Ｌ１が入射面に対してＰ偏光となるように、偏光子４の透過軸の方向をＸ方向に合わせる。ここで、Ｐ偏光は、電界成分が入射面（紙面）に平行である直線偏光をいう。一方、Ｓ偏光は、電界成分が入射面に垂直である直線偏光をいう。偏光子４として、たとえば、方解石などの複屈折結晶板または偏光プリズムを用いることができる。なお、半導体レーザ装置のように直線偏光したレーザ光を発生するレーザ光源１を用いる場合には、発生したレーザ光の偏光方向が偏光子４の透過軸の方向に合うように半導体レーザ装置の配置の方向を調整する。あるいは、半導体レーザ装置の配置方向によって入射光Ｌ１の偏光方向を決めるようにすれば偏光子４を用いなくてもよい。
【００３６】
正面側ミラー５は、偏光子４を透過したＰ偏光のレーザ光をホログラム記録媒体６の方向へ反射する。正面側ミラー５は、制御部２０の制御に従って、角変位動作とＺ方向にシフトする動作とを併せて行う。これによって、ホログラム記録媒体６に対する照射位置を変えることなく、多重記録されたホログラムに応じた所望の角度でレーザ光を偏向させ、ホログラム記録媒体６に入射光Ｌ１として入射させる。このような構成は、ホログラム記録媒体６と正面側ミラー５との距離を自由に設定できるため、部材の配置の制限が小さく、設計の自由度が高い。また、入射光Ｌ１の偏向角度も大きくすることができる。たとえば、正面側ミラー５として、ステッピングモータを用いたマイクロステップ駆動によって角変位するガルバノミラーを用いることができる。
【００３７】
以上のレーザ光源１、ビームエキスパンダ３、偏光子４、および正面側ミラー５は、本発明の入射光生成部３０を構成する。入射光生成部３０は、コヒーレントな直線偏光（Ｐ偏光）の光を生成して、生成した光を入射光Ｌ１としてホログラム記録媒体６の正面６ａの所望位置に所望角度で入射する。
【００３８】
このように入射光Ｌ１の偏光をＰ偏光にする理由を図２を参照して次に説明する。
図２は、入射光の入射角度とホログラム記録媒体６の基板７の表面での反射率との関係を示すグラフである。図２のグラフは、基板７の材料がガラスであり、レーザ光の波長が５３２ｎｍである場合を示している。横軸は入射光の入射角度を表わし、縦軸は表面での反射率を表わす。同波長でのガラスの屈折率は１．５１であるので、ブリュースタ角は５６．５°になる。
【００３９】
図２に示すように、Ｐ偏光成分はブリュースタ角で反射率が０になる。ブリュースタ角近傍でのＰ偏光の反射率はＳ偏光に比べて小さい。そこで、実施の形態１では、ホログラム記録媒体６にホログラムを多重記録するときに、参照光の入射角度の範囲をブリュースタ角を中心に±１０°の範囲にする。この結果、ホログラムの再生時の入射光Ｌ１の入射角の範囲もブリュースタ角を中心にして±１０°の範囲になるので、ホログラム記録媒体６の表面での反射光を抑制することができる。反射光が撮像素子１６に取込まれるとノイズになるので、反射光を抑制することによって再生信号のＳＮ比を向上させることができる。
【００４０】
再び図１を参照して、入射光Ｌ１の一部はホログラム９によって回折される。このときの回折光は、ホログラム記録媒体６の裏面６ｂ側に出射されるので、実施の形態１のホログラム再生装置１００には用いられない。その他の大部分の入射光Ｌ１は、透過光Ｌ２としてホログラム記録媒体６を透過する。
【００４１】
１／４波長板１０は、ホログラム記録媒体６と裏面側ミラー１１との間の光路上に設けられる。１／４波長板１０は、互いに直交する主軸（速軸、遅延軸）方向の偏光成分に９０°の位相差を与える。１／４波長板１０の主軸に対して４５°傾いた直線偏光は円偏光に変換され、円偏光は直線偏光に変換される。図１の場合、１／４波長板１０はＰ偏光の透過光Ｌ２を円偏光に変換する。なお、１／４波長板１０は、たとえば、雲母や水晶などの異方性結晶を所望の厚みにへき開して作成することができる。
【００４２】
反射部としての裏面側ミラー１１は、制御部２０の指令に従って、正面側ミラー５の変位量に合わせて直線方向にシフトするとともに角変位する。これによって、裏面側ミラー１１は、１／４波長板１０によって円偏光に変換された光を、１８０°反対の方向に反射する。反射された円偏光の光は、再び１／４波長板１０に入射する。１／４波長板１０によって、円偏光の光はＳ偏光の再生参照光Ｌ３に変換される。こうして、Ｐ偏光の透過光Ｌ２と１８０°逆方向に進むＳ偏光の再生参照光Ｌ３が生成される。１／４波長板１０と裏面側ミラー１１とは、本発明の再生参照光光学系４０を構成する。
【００４３】
生成されたＳ偏光の再生参照光Ｌ３は、ホログラム記録媒体６の裏面６ｂに入射する。入射したＳ偏光の再生参照光Ｌ３は、再生すべき目的のホログラム９によって回折され、Ｓ偏光の再生信号光Ｌ４としてホログラム記録媒体６の正面６ａから出射される。
【００４４】
対物レンズ１４は、ホログラム９から生じた再生信号光Ｌ４を結像する。ここで、対物レンズ１４は、記録時と同様の光学特性を有するものが望ましい。このような対物レンズを用いることによって、対物レンズによって生じる波面収差の影響がキャンセルされるので、再生像の歪を低減できる。対物レンズ１４として、たとえば、開口数ＮＡが０．５、焦点距離が４ｍｍのレンズが用いられる。
【００４５】
アパーチャ１９は、再生信号光Ｌ４以外の迷光が対物レンズ１４になるべく入射しないように、ホログラム記録媒体６と対物レンズ１４との間に設けられる。
【００４６】
受光部として撮像素子１６は、対物レンズ１４の結像面に配置され、再生信号光Ｌ４を受光する。撮像素子１６は、受光した再生信号光Ｌ４に付与されている強度変調に応じた２次元の画像データを再生する。撮像素子１６として、たとえば、ＣＣＤ（Charge  Coupled  Device）イメージセンサまたはＣＭＯＳ（Complementary  Metal-Oxide  Semiconductor）イメージセンサを用いることができる。
【００４７】
偏光板１５は、対物レンズ１４と撮像素子１６との間の再生信号光Ｌ４の光路上に設けられる。偏光板１５の透過軸の方向は、Ｓ偏光である再生信号光Ｌ４を選択的に透過するように、Ｙ方向に設定される。偏光板１５には、たとえば、ヨウ素染色されたポリビニルアルコール系フィルムからなる偏光子が用いられる。偏光子の片面または両面には、トリアセチルセルロースフィルムなどの保護フィルムが貼合わされる。このような偏光板１５を設ける効果を図３を参照して次に説明する。
【００４８】
図３は、ホログラムの再生時に生じる反射光および散乱光について説明するための模式図である。図３は、図１のホログラム再生装置１００の一部を取り出して反射光Ｌ５および散乱光Ｌ６の経路を付加したものである。図３のうち図１と共通する部分については同一の参照符号を付して説明を繰返さない。
【００４９】
図３を参照して、ホログラム記録媒体６に入射するＰ偏光の入射光Ｌ１の一部は、正面側基板７ａによって反射されてＰ偏光の反射光Ｌ５になる。さらに、その反射光Ｌ５の一部がアパーチャ１９で散乱されることによってＰ偏光の散乱光Ｌ６となる。
【００５０】
ここで仮に、Ｐ偏光の入射光Ｌ１をブリュースタ角付近で入射した場合には、反射光Ｌ５の強度は０.１％以下に低減する。実際には、角度多重記録方式によって記録されたホログラムを再生するために入射光Ｌ１の入射角度を変化させる必要があるので、反射光の強度はブリュースタ角で入射した場合よりも大きくなる。また、反射光Ｌ５の強度が０．１％程度に抑えられた場合であっても、再生信号光Ｌ４の回折効率が０.１％程度であるため、反射光Ｌ５と再生信号光Ｌ４とはほぼ同程度の光強度となる。このため、もし、偏光板１５を設けない場合には、再生信号光Ｌ４とほぼ同程度の強度を有する反射光Ｌ５および散乱光Ｌ６が、再生信号光Ｌ４に重畳して撮像素子１６に入射するので、再生像の品質が悪化することになる。
【００５１】
そこで、実施の形態１では、１／４波長板１０を設けることによって、再生信号光Ｌ４の偏光の方向（Ｓ偏光）を反射光Ｌ５および散乱光Ｌ６の偏光の方向（Ｐ偏光）と異ならせる。さらに、Ｓ偏光の再生信号光Ｌ４を選択的に透過するように撮像素子１６の受光面１６ａの直前に偏光板１５を設ける。これによって、再生信号のＳＮ比の低下を回避することができる。
【００５２】
ここで、反射光Ｌ５の反射方向は、ホログラム記録媒体６への入射光Ｌ１の入射角度に依存する。したがって、ホログラム記録媒体６やアパーチャ１９の配置を工夫するとともに、入射光Ｌ１の入射角度を制限することによって、偏光板１５を設けなくても、反射光Ｌ５が対物レンズ１４に入射しないようにすることは一応可能と考えられる。しかしながら、入射光Ｌ１の入射角度を制限すると、設計の自由度が小さくなり、小型化、薄型化が困難となる。さらに、入射光Ｌ１の入射角度を制限すると、角度多重記録方式による記録密度の増大も制約される。さらにまた、入射光Ｌ１のビーム径が大きい場合や、正面側基板７ａと対物レンズ１４との距離が短い場合は、アパーチャ１９を設けていても反射光や散乱光の一部が対物レンズ１４に入射することが避けられない。
【００５３】
これに対して、図１のホログラム再生装置１００の場合には、偏光板１５を撮像素子１６の受光面１６ａの直前に配置できるので、再生装置の小型化、薄型化が容易になる。また、設計の自由度や記録密度の増加が妨げられることもない。さらに入射光Ｌ１のビーム径や、正面側基板７ａと対物レンズ１４との距離も制限なく自由に設定できる。
【００５４】
なお、ホログラム再生装置１００のさらなる小型化、薄型化のために、偏光板１５は、撮像素子１６の受光面１６ａに貼付けるなどの方法によって、受光面１６ａに密着して設けることが好ましい。また、このように偏光板１５を受光面１６ａに密着させることによって、対物レンズ１４を透過した反射光または散乱光が、周辺部材によってさらに反射または散乱され、偏光板１５を回込んで撮像素子１６の受光面１６ａに入射することを防止できる。
【００５５】
次に、図４、図５を参照して、実施の形態１のホログラム再生装置１００の効果についてさらに補足的に説明する。
【００５６】
図４は、反射光および散乱光が入射することによって、ＳＮ比が劣化した場合の再生信号２１を模式的に示す図である。図４は、入射光Ｌ１（再生参照光Ｌ３）のビーム径が２ｍｍで、入射光Ｌ１（再生参照光Ｌ３）の入射角度が６０°である場合に、撮像素子１６で撮像された再生信号を示す。
【００５７】
また、図５は、偏光板１５を設けることによって、再生信号光Ｌ４のみを選択的に撮像した場合の再生信号２４を模式的に示す図である。図５の場合の入射光Ｌ１（再生参照光Ｌ３）のビーム径および入射角度は図４の場合と同じである。
【００５８】
図４と図５とを比較すると、図４に示す場合には、一部の反射光および散乱光に起因するノイズ信号２２，２３が再生信号に重畳するために、再生信号２１のＳＮ比が低下することがわかる。特に、ノイズ信号２２，２３の位置は、入射光Ｌ１（再生参照光Ｌ３）の入射角度によって変化するので、入射角度が６０度よりも小さくなる場合には、反射光Ｌ５の反射方向が再生信号光Ｌ４の進行方向により近づくようになる。このため、再生信号の品質がさらに低下する可能性がある。これに対して、図５の場合には、再生信号光Ｌ４のみが選択的に撮像素子１６の受光面１６ａ上に結像されるため、撮像された再生信号２４には図４のようなノイズ信号が現れない。
【００５９】
図６は、図１のホログラム再生装置１００の動作を示すフローチャートである。以下、図１、図６を参照してホログラム再生装置１００の動作を総括的に説明する。
【００６０】
図６のステップＳ１で、レーザ光源１はコヒーレントなレーザ光を発生する。発生したレーザ光は、ビームエキスパンダ３によって径が拡大され、平行光となって出射される。
【００６１】
次のステップＳ２で、偏光子４は、ビームエキスパンダ３から出射されたレーザ光をＰ偏光に変換する。
【００６２】
次のステップＳ３で、正面側ミラー５は、Ｐ偏光に変換されたレーザ光を反射して、入射光Ｌ１として再生すべき目的のホログラムに向けて照射する。このとき、制御部２０は、目的のホログラムが記録されたときの参照光の入射角に入射光Ｌ１の入射角が等しくなるように、正面側ミラー５の偏角を設定する。
【００６３】
入射光Ｌ１の一部は、ホログラム記録媒体６を透過する。次のステップＳ４で、１／４波長板１０は、透過したＰ偏光の入射光（透過光Ｌ２）を円偏光の光に変換する。
【００６４】
次のステップＳ５で、裏面側ミラー１１は、円偏光の光を１８０°逆方向に反射する。このとき、制御部２０は、裏面側ミラー１１の偏角を正面側ミラー５の偏角に合わせて設定する。
【００６５】
裏面側ミラー１１によって反射された円偏光の光は、次のステップＳ６で、１／４波長板１０によって円偏光からＳ偏光の再生参照光Ｌ３に変換される。そして、Ｓ偏光の再生参照光Ｌ３がホログラム９によって回折されることによってＳ偏光の再生信号光Ｌ４が生成される。再生信号光Ｌ４は、ホログラム記録媒体６の正面側から出射され、対物レンズ１４を透過する。
【００６６】
次のステップＳ７で、偏光板１５は、対物レンズ１４を透過したＳ偏光の再生信号光Ｌ４を選択的に透過させる。このとき、Ｐ偏光の入射光Ｌ１がホログラム記録媒体６の正面６ａで反射されることによって生じたＰ偏光の反射光は、偏光板１５によって遮断される。
【００６７】
次のステップＳ８で、撮像素子１６は、偏光板１５を透過した再生信号光Ｌ４を受光して再生信号を出力する。これによって、ホログラム再生装置１００によるホログラムの再生手順が完了する。
【００６８】
以上のとおり、実施の形態１のホログラム再生装置１００は次のような作用効果を奏する。まず、ホログラム再生装置１００は、ホログラム記録媒体６を透過した入射光（透過光Ｌ２）を用いて再生参照光Ｌ３を生成する。そして、この再生参照光Ｌ３をホログラム記録媒体６の裏面６ｂ側から照射することによって再生信号光Ｌ４を得る。したがって、レーザ光源１および撮像素子１６をホログラム記録媒体６の同じ側（正面側）に配置することができるので、小型かつ薄型のホログラム再生装置１００を実現できる。
【００６９】
また、ホログラム再生装置１００では、ホログラム記録媒体６を透過した透過光Ｌ２の偏光と再生参照光Ｌ３の偏光とを９０°異ならせるとともに、撮像素子１６の受光面１６ａの直前に再生信号光Ｌ４の偏光を選択的に透過させる偏光板１５が配置される。これによって、ノイズの原因になる反射光Ｌ５および散乱光Ｌ６と再生信号光Ｌ４とを偏光板１５によって分離することができるので、再生信号の品質を向上させることができる。さらに、ホログラムの回折効率を小さくした場合でも高品質の再生信号を得ることができるので、多重数を増やすことができ、結果として高密度記録を実現することができる。さらにまた、ホログラム記録媒体６と対物レンズ１４との位置関係、およびホログラム記録媒体６に対する入射光Ｌ１の入射角度などに制約がないので、ホログラム再生装置１００の小型、薄型化を容易に実現できる。
【００７０】
また、１／４波長板１０を採用することにより、単純な構成で透過光Ｌ２の偏光方向を９０度回転させた再生参照光Ｌ３を生成することができる。１／４波長板１０は、小型、薄型に作製することが可能であり、裏面側ミラー１１の面内方向への位置調整が不要である。このため、ホログラム再生装置１００の小型化、薄型化を容易にする。
【００７１】
また、再生信号光Ｌ４を選択的に透過させる偏光板１５は、撮像素子１６の受光面１６ａの直前に配置することができるので、ホログラム再生装置１００の小型化、薄型化を容易にする。さらに、偏光板１５と受光面１６ａとを密着させることによって、再生信号光Ｌ４以外の光が、周辺部材で反射または散乱されることにより偏光板１５を回り込んで受光面１６ａに入射しないようにできる。結果として高品質の再生信号を得ることができる。また、従来例で用いられている偏光ビームスプリッタと異なり、撮像素子１６の面内方向に対する偏光板１５の相対位置の変動は、信号品質にほとんど影響を及ぼさない。このため、光軸のずれを補正するための信号処理が不要になる。
【００７２】
また、実施の形態１のホログラム再生装置１００は、次のような変形が可能である。
まず、実施の形態１では、偏光子４によってＰ偏光に変換したレーザ光を入射光Ｌ１としてホログラム記録媒体６に入射している。これに対して、偏光子４によってＳ偏光に変換したレーザ光を入射光Ｌ１としてホログラム記録媒体６に入射してもよい。Ｓ偏光の入射光Ｌ１の場合、再生信号光Ｌ４はＰ偏光になり、反射光Ｌ５および散乱光Ｌ６はＳ偏光になる。したがって、偏光板１５によってＰ偏光の再生信号光Ｌ４のみ選択的に透過するようにすれば、Ｓ偏光の反射光Ｌ５および散乱光Ｌ６が撮像素子１６に入射するのを防止でき、再生信号のＳＮ比を向上させることができる。もっとも、入射光Ｌ１の偏光は、実施の形態１のようにＰ偏光のほうが好ましい。なぜなら、ホログラム記録媒体６の表面でのＰ偏光の反射率はＳ偏光に比較して小さいので、反射光Ｌ５および散乱光Ｌ６の強度を低減することができるからである。
【００７３】
また、入射光Ｌ１の偏光は、Ｐ偏光またはＳ偏光に限らず任意の方向の直線偏光であってもよい。この場合、ホログラム記録媒体６の表面での反射率および透過率が、Ｘ方向の電界成分とＹ方向の電界成分とで異なる。したがって、入射光Ｌ１の偏光方向と透過光Ｌ２の偏光方向とが異なることになり、再生参照光Ｌ３の偏光方向と再生信号光Ｌ４の偏光方向とが異なることになる。しかし、この場合にも、再生信号光Ｌ４の偏光方向の光を選択的に透過するように偏光板１５の透過軸の方向を調整すれば、再生信号のＳＮ比を向上させることができる。
【００７４】
また、１／４波長板１０に代えて、透過光Ｌ２の光路と再生参照光Ｌ３の光路とを分離していずれか一方の光路上に１／２波長板を設けてもよい。この場合にも、ホログラム記録媒体６を出射したときの透過光Ｌ２の偏光の方向と、ホログラム記録媒体６に入射するときの再生参照光Ｌ３の偏光の方向とを、９０°異ならせることができる。
【００７５】
また、ホログラム記録媒体６の表裏を反対にして、ホログラム記録媒体６の裏面６ｂ側から入射光Ｌ１を入射してもよい。この場合、再生参照光Ｌ３がホログラム記録媒体６の正面６ａ側に入射することによって、裏面６ｂ側から再生信号光Ｌ４が出射する。したがって、裏面６ｂ側に設けた対物レンズ１４で再生信号光Ｌ４を結像して撮像素子１６で撮像すれば、ホログラムを再生することができる。
【００７６】
［実施の形態２］
図７は、本発明の実施の形態２によるホログラム再生装置１０１の構成を示す概略図である。図７の入射光生成部３０ａは、照射位置調整レンズ３１（３１ａ，３１ｂ）をさらに含む点で図１の入射光生成部３０と異なる。また、図７の再生参照光光学系４０ａは、照射位置調整レンズ４１（４１ａ，４１ｂ）をさらに含む点で、図１の再生参照光光学系４０と異なる。その他の点については、図７のホログラム再生装置１０１は、図１の実施の形態１のホログラム再生装置１００と共通するので、共通する部分には同一の参照符号を付して説明を繰返さない。また、図７では、図１と共通する対物レンズ１４、偏光板１５、撮像素子１６、およびアパーチャ１９の図示を省略している。
【００７７】
図７を参照して、入射光生成部３０ａの正面側ミラー５、照射位置調整レンズ３１、およびホログラム記録媒体６は４ｆ光学系を構成する。すなわち、正面側ミラー５、照射位置調整レンズ３１ａ、焦点面３２、照射位置調整レンズ３１ｂ、ホログラム記録媒体６は、この順序で照射位置調整レンズ３１ａ，３１ｂの焦点距離ずつ間隔をあけて配置される。４ｆ光学系の場合、制御部２０ａは、正面側ミラー５の偏角のみを調整することによって、ホログラム記録媒体６への照射位置を変えずに入射角度を変化させることがきる。すなわち、正面側ミラー５をＺ方向に変位させる必要がないため、正面側ミラー５の制御速度を速めることができる。
【００７８】
同様に、再生参照光光学系４０ａの裏面側ミラー１１、照射位置調整レンズ４１、およびホログラム記録媒体６は４ｆ光学系を構成する。すなわち、裏面側ミラー１１、照射位置調整レンズ４１ｂ、焦点面４２、照射位置調整レンズ４１ａ、およびホログラム記録媒体６は、この順序で照射位置調整レンズ４１ａ，４１ｂの焦点距離ずつ間隔をあけて配置される。４ｆ光学系の場合、制御部２０ａは、裏面側ミラー１１の偏角のみを調整することによって、透過光Ｌ２を反転させた再生参照光Ｌ３を生成することができる。このように、裏面側ミラー１１をＺ方向に変位させる必要がないため、裏面側ミラー１１の制御速度を速めることができる。
【００７９】
［実施の形態３］
図８は、本発明の実施の形態３によるホログラム再生装置１０２の構成を示す概略図である。図８の入射光生成部３０ｂは、正面側ミラー５の偏角が固定されている点で図１の入射光生成部３０と異なる。実施の形態３では、入射光の入射角度はブリュースタ角に固定される。また、図８の再生参照光光学系４０ａは、照射位置調整レンズ４１（４１ａ，４１ｂ）をさらに含む点で、図１の再生参照光光学系４０と異なる。その他の点については、図８のホログラム再生装置１０１は、図１の実施の形態１のホログラム再生装置１００と共通するので、共通する部分には同一の参照符号を付して説明を繰返さない。また、図８では、図１と共通する対物レンズ１４、偏光板１５、撮像素子１６、およびアパーチャ１９の図示を省略している。
【００８０】
図８を参照して、再生参照光光学系４０ａの裏面側ミラー１１、照射位置調整レンズ４１、およびホログラム記録媒体６は４ｆ光学系を構成する。すなわち、裏面側ミラー１１、照射位置調整レンズ４１ｂ、焦点面４２、照射位置調整レンズ４１ａ、ホログラム記録媒体６は、この順序で照射位置調整レンズ４１ａ，４１ｂの焦点距離だけ間隔をあけて配置される。実施の形態３では、制御部２０ｂは、裏面側ミラー１１の偏角を調整することによって、再生参照光の裏面６ｂへの入射角度を変化させる。これによって、制御部２０ｂは、再生参照光の入射角度を、角度多重記録方式によって記録された目的のホログラムに応じた角度に設定する。
【００８１】
図９は、図８のホログラム再生装置１０２の動作を示すフローチャートである。図９のフローチャートは、図６のステップＳ３，Ｓ５に代えてステップＳ３ａ，Ｓ５ａをそれぞれ含む点で図６のフローチャートと異なる。
【００８２】
図１、図８、図９を参照して、ステップＳ１で、レーザ光源１はコヒーレントなレーザ光を発生する。発生したレーザ光は、ビームエキスパンダ３によって径が拡大され、平行光となって出射される。
【００８３】
次のステップＳ２で、偏光子４は、ビームエキスパンダ３から出射されたレーザ光をＰ偏光に変換する。
【００８４】
次のステップＳ３ａで、正面側ミラー５は、Ｐ偏光に変換されたレーザ光を反射し、再生すべき目的のホログラムに向けて入射光として照射する。このときの入射光の入射角度はブリュースタ角に固定されている。これによって、ホログラム記録媒体６の正面６ａから反射する反射光がほとんど生じないようにする。
【００８５】
ホログラム記録媒体６を透過した透過光は、照射位置調整レンズ４１を透過する。次のステップＳ４で、１／４波長板１０は、照射位置調整レンズ４１を透過したＰ偏光の透過光を円偏光の光に変換する。
【００８６】
次のステップＳ５ａで、裏面側ミラー１１は、円偏光の光を制御部２０ｂによって設定された角度で反射する。このとき、制御部２０ｂは、目的のホログラムから再生信号光が生じるように、目的のホログラムが記録されたときの参照光の入射角に応じて裏面側ミラー１１の偏角を設定する。
【００８７】
裏面側ミラー１１によって反射された円偏光の光は、次のステップＳ６で、１／４波長板１０によって円偏光からＳ偏光の再生参照光に変換される。Ｓ偏光の再生参照光は、照射位置調整レンズ４１を透過した後、ホログラム記録媒体６に裏面６ｂ側から入射する。再生参照光が目的のホログラムによって回折されることによって、Ｓ偏光の再生信号光が生成される。再生信号光は、ホログラム記録媒体６の正面６ａ側から出射され、対物レンズ１４を透過する。
【００８８】
次のステップＳ７で、偏光板１５は対物レンズ１４を透過したＳ偏光の再生信号光を選択的に透過させる。このとき、Ｐ偏光の入射光がホログラム記録媒体６の正面６ａで反射されて生じたＰ偏光の反射光は、偏光板１５によって遮断される。
【００８９】
次のステップＳ８で、撮像素子１６は、偏光板１５を透過した再生信号光Ｌ４を受光して再生信号を出力する。これによって、ホログラム再生装置１０２によるホログラムの再生手順が完了する。
【００９０】
このように、実施の形態３のホログラム再生装置１０２によれば、ホログラム記録媒体６の正面６ａから入射するＰ偏光の入射光の入射角度はブリュースタ角に固定される。そして、角度多重記録されたホログラムを再生するために、再生参照光の入射角度が、裏面側ミラー１１の偏角を変更することによって調整される。この方法により、ホログラム記録媒体６の正面６ａで反射された反射光をほぼ０にすることができる。
【００９１】
仮に入射光の偏光方向や入射光のホログラム記録媒体６への入射角度が設定からずれた場合には、実施の形態１と同様に、撮像素子の受光面の直前に設けた偏光板によって再生信号光が反射光と分離される。したがって、実施の形態３のホログラム再生装置１０２によれば、より確実に反射光および散乱光の影響を回避することができ、良好なＳＮ比の再生信号を得ることができる。
【００９２】
今回開示された実施の形態はすべての点で例示であって制限的なものでないと考えられるべきである。本発明の範囲は上記した説明ではなくて請求の範囲によって示され、請求の範囲と均等の意味および範囲内でのすべての変更が含まれることが意図される。
【図面の簡単な説明】
【００９３】
【図１】本発明の実施の形態１によるホログラム再生装置１００の構成を示す概略図である。
【図２】入射光の入射角度とホログラム記録媒体６の基板７の表面での反射率との関係を示すグラフである。
【図３】ホログラムの再生時に生じる反射光および散乱光について説明するための模式図である。
【図４】反射光および散乱光が入射することによって、ＳＮ比が劣化した場合の再生信号２１を模式的に示す図である。
【図５】偏光板１５を設けることによって、再生信号光Ｌ４のみを選択的に撮像した場合の再生信号２４を模式的に示す図である。
【図６】図１のホログラム再生装置１００の動作を示すフローチャートである。
【図７】本発明の実施の形態２によるホログラム再生装置１０１の構成を示す概略図である。
【図８】本発明の実施の形態３によるホログラム再生装置１０２の構成を示す概略図である。
【図９】図８のホログラム再生装置１０２の動作を示すフローチャートである。
【図１０】従来のホログラム記録再生装置２００の構成を示す概略図である。
【符号の説明】
【００９４】
１  レーザ光源、３  ビームエキスパンダ、４  偏光子、５  正面側ミラー、６  ホログラム記録媒体、６ａ  正面、６ｂ  裏面、７ａ  正面側基板、７ｂ  裏面側基板、８  記録層、９  ホログラム、１０  １／４波長板、１１  裏面側ミラー、１４  対物レンズ、１５  偏光板、１６  撮像素子、１６ａ  受光面、１９  アパーチャ、２０，２０ａ，２０ｂ  制御部、３０，３０ａ，３０ｂ  入射光生成部、４０，４０ａ  再生参照光光学系、１００，１０１，１０２  ホログラム再生装置、Ｌ１  入射光、Ｌ２  透過光、Ｌ３  再生参照光、Ｌ４  再生信号光。
【図１】
2009282141.tif 000003
【図２】
2009282141.tif 000004
【図３】
2009282141.tif 000005
【図６】
2009282141.tif 000006
【図７】
2009282141.tif 000007
【図８】
2009282141.tif 000008
【図９】
2009282141.tif 000009
【図１０】
2009282141.tif 000010
【図４】
2009282141.tif 000011
【図５】
2009282141.tif 000012